(57)【要約】【課題】  バルコニー付き部屋ユニットにおいて、バルコニー構成部の床構成を簡易化すること。【解決手段】  部屋構成部１１とバルコニー構成部１２とが一体に接合されて工場生産されるバルコニー付き部屋ユニット１０において、部屋構成部１１の床根太２１Ｃとバルコニー構成部１２の床根太２２Ｃが同一方向であって、バルコニー１３の床面１４の水勾配に直交する方向に延在されてなるもの。【選択図】  図１
2011157698.tif 000002
【特許請求の範囲】
【請求項１】
部屋構成部とバルコニー構成部とが一体に接合されて工場生産されるバルコニー付き部屋ユニットにおいて、
部屋構成部の床根太とバルコニー構成部の床根太が同一方向であって、バルコニーの床面の水勾配に直交する方向に延在されてなることを特徴とするバルコニー付き部屋ユニット。
【請求項２】
前記バルコニー構成部の複数本の床根太の各根太高さが、バルコニーの床面の水勾配に沿う方向で、部屋構成部から離隔するに従って順に低くされてなる請求項１に記載のバルコニー付き部屋ユニット。
【請求項３】
前記バルコニー構成部におけるバルコニーの床面の水勾配に沿う最下端側で、相隣る床根太の間を樋設置部とする請求項１又は２に記載のバルコニー付き部屋ユニット。
【発明の詳細な説明】
【技術分野】
【０００１】
本発明はバルコニー付き部屋ユニットに関する。
【背景技術】
【０００２】
バルコニー付き部屋ユニットとして、特許文献１に記載の如く、部屋構成部とバルコニー構成部とが一体に接合されて工場生産されるものがある。従来のバルコニー付き部屋ユニットでは、バルコニー構成部の床根太がバルコニーの床面の水勾配に沿う方向に延在されている。
【先行技術文献】
【特許文献】
【０００３】
【特許文献１】特開平6-173352
【発明の概要】
【発明が解決しようとする課題】
【０００４】
従来のバルコニー付き部屋ユニットには以下の問題点がある。
(1)部屋構成部の床根太がバルコニーの床面の水勾配に直交する方向に延在されてなるものであるとき、部屋構成部の床根太とバルコニー構成部の床根太が互いに直交配置されるものになる。従って、部屋構成部の床パネルとバルコニー構成部の床パネルを、共通枠組の１枚のパネルに共通化することに加工製作上の困難がある。
【０００５】
(2)バルコニー構成部において、バルコニーの床面に水勾配を形成するため、各根太の上面に長手方向に沿う勾配面を形成する必要がある。
【０００６】
(3)バルコニー構成部において、バルコニーの床面の水勾配に沿う最下端側で、その水勾配に直交する方向に樋を延在させようとするときには、各床根太の一端側に樋設置凹部を切欠形成する必要がある。
【０００７】
本発明の課題は、バルコニー付き部屋ユニットにおいて、バルコニー構成部の床構成を簡易化することにある。
【課題を解決するための手段】
【０００８】
請求項１の発明は、部屋構成部とバルコニー構成部とが一体に接合されて工場生産されるバルコニー付き部屋ユニットにおいて、部屋構成部の床根太とバルコニー構成部の床根太が同一方向であって、バルコニーの床面の水勾配に直交する方向に延在されてなるようにしたものである。
【０００９】
請求項２の発明は、請求項１の発明において更に、前記バルコニー構成部の複数本の床根太の各根太高さが、バルコニーの床面の水勾配に沿う方向で、部屋構成部から離隔するに従って順に低くされてなるようにしたものである。
【００１０】
請求項３の発明は、請求項１又は２の発明において更に、前記バルコニー構成部におけるバルコニーの床面の水勾配に沿う最下端側で、相隣る床根太の間を樋設置部とするようにしたものである。
【発明の効果】
【００１１】
(a)部屋構成部の床根太とバルコニー構成部の床根太が同一方向に配置される。従って、部屋構成部の床パネルとバルコニー構成部の床パネルを、共通枠組の１枚のパネルに共通化しようとするとき、加工組立の簡易を図ることができる。
【００１２】
(b)バルコニー構成部の床根太がバルコニーの床面の水勾配に直交する方向に延在される。これにより、バルコニー構成部の複数本の床根太の各根太高さを、バルコニーの床面の水勾配に沿う方向で、部屋構成部から離隔するに従って順に低くすることにより、バルコニーの床面に水勾配を形成できる。各根太を側面視で矩形状に加工し、それらの上面を水平面にしながら、バルコニーの床面の水勾配を簡易に形成できる。
【００１３】
(c)バルコニー構成部におけるバルコニーの床面の水勾配に沿う最下端側で、相隣る床根太の間を樋設置部とする。従って、バルコニー構成部の床根太に樋設置凹部の如くを切欠形成することなく、簡易に、バルコニーの床面の水勾配に直交する方向に延在する樋をその床面の下に簡易に設置できる。
【図面の簡単な説明】
【００１４】
【図１】図１はバルコニー付き部屋ユニットの床パネル製作過程を示す模式図である。
【図２】図２はバルコニー付き部屋ユニットの壁パネル製作過程を示す模式図である。
【図３】図３はバルコニー付き部屋ユニットを示す模式図である。
【図４】図４は図３のIV-IV線に沿う断面図である。
【図５】図５はバルコニー付き部屋ユニットを有する建物ユニットの組立過程を示す模式図である。
【図６】図６はバルコニー付き部屋ユニットの変形例の床パネル製作過程を示す模式図である。
【図７】図７はバルコニー付き部屋ユニットの変形例の壁パネル製作過程を示す模式図である。
【図８】図８はバルコニー付き部屋ユニットの変形例を示す模式図である。
【発明を実施するための形態】
【００１５】
図１〜図４に示すバルコニー付き部屋ユニット１０は、部屋構成部１１とバルコニー構成部１２とが一体に接合されて工場生産される。このとき、バルコニー付き部屋ユニット１０は、床パネル２０の外縁に壁パネル３０を立設して製作される。
【００１６】
バルコニー付き部屋ユニット１０において、床パネル２０は、図１に示す如く、部屋構成部１１の側の床パネル２１と、バルコニー構成部１２の側の床パネル２２を別個に組立てた後、それら２個の床パネル２１、２２を一体にして構成される。
【００１７】
床パネル２１は、側根太２１Ａと端根太２１Ｂからなる床枠組の中に、側根太２１Ａと平行をなす複数本の根太２１Ｃを組込み、それらの床枠組の上に、それらの床枠組と同一外郭をなすパーティクルボード等の床面材２１Ｄを貼り付けて構成される。
【００１８】
床パネル２２は、側根太２２Ａと端根太２２Ｂからなる床枠組の中に、側根太２２Ａと平行をなす複数本の根太２２Ｃを組込み、それらの床枠組の上でそれらの側根太２２Ａ、端根太２２Ｂの枠内に落とし込まれるパーティクルボード等の床面材２２Ｄを貼り付けて構成される。根太２２Ｃの成の高さは側根太２２Ａ、端根太２２Ｂの成の高さより低い。
【００１９】
尚、バルコニー構成部１２の床パネル２２の床面材２２Ｄの上面は、屋外に面していて雨水処理する必要があるから一定の水勾配を備え、断熱材や防水処理層や仕上材を現地施工等により設けることができる。
【００２０】
床パネル２１と床パネル２２は、それらの相接する側根太２１Ａと側根太２２Ａとを釘打ち及び接着等して一体に接合することにより、床パネル２０を構成する。
【００２１】
このとき、部屋構成部１１の床パネル２１を構成している根太２１Ｃと、バルコニー構成部１２の床パネル２２を構成している根太２２Ｃは同一方向であって、バルコニー１３の床面１４の端根太２２Ｂの長手方向に沿って設けられる水勾配に直交する方向に延在される。
【００２２】
また、バルコニー構成部１２の複数本の根太２２Ｃの各根太高さＨｉ（図４）は、バルコニー１３の床面１４の水勾配に沿う方向で、部屋構成部１１から離隔するに従って順に低くされる。これにより、床パネル２０において、バルコニー１３の床面１４の水勾配が形成される。
【００２３】
また、バルコニー構成部１２におけるバルコニー１３の床面１４の水勾配に沿う最下端側で、相隣る側根太２２Ａと根太２２Ｃの間を樋設置部２３とする。この樋設置部２３に樋２４（図４）を現地施工等により設け、バルコニー１３の床面１４の水勾配に直交する方向に延在される樋２４をバルコニー１３の床面１４に対する下位に埋込設置できる。
【００２４】
バルコニー付き部屋ユニット１０において、壁パネル３０は、図２に示す如く、床パネル２１の両側の外縁に立設される両側の妻壁パネル３１、３１と、床パネル２１のバルコニー１３寄りの外縁に立設される桁壁パネル３２と、床パネル２２の両側の外縁に立設される両側の手摺壁パネル３３、３３と、床パネル２２の前方に臨む外縁に立設される手摺壁パネル３４とから構成される。両側の妻壁パネル３１、３１と桁壁パネル３２は部屋構成部１１の側のコの字壁状をなし、両側の手摺壁パネル３３、３３と手摺壁パネル３４は桁壁パネル３２の前面側でバルコニー構成部１２の側の低いコの字壁状をなす。桁壁パネル３２は掃き出し開口３２Ａを備える。
【００２５】
バルコニー付き部屋ユニット１０は、他の部屋ユニットとともに工場で生産され、建築現場に輸送され、それらの部屋ユニットと上下水平方向に組合わされ、ユニット建物を構築する。図５はこのようなユニット建物の一部を取出して示すものであり、基礎１の上に、下階部屋ユニット２の床パネルを据付け、この下階部屋ユニット２の壁パネルの上にバルコニー付き部屋ユニット１０の床パネル２０を据付け、このバルコニー付き部屋ユニット１０の部屋構成部１１を囲む壁パネル３１、３２の上に屋根ユニット３を搭載してユニット建物とするものである。
【００２６】
従って、本実施例によれば、以下の作用効果を奏する。
(a)バルコニー構成部１２の床根太２２Ｃがバルコニー１３の床面１４の水勾配に直交する方向に延在される。これにより、バルコニー構成部１２の複数本の床根太２２Ｃの各根太高さを、バルコニー１３の床面１４の水勾配に沿う方向で、部屋構成部１１から離隔するに従って順に低くすることにより、バルコニー１３の床面１４に水勾配を形成できる。各根太を側面視で矩形状に加工し、それらの上面を水平面にしながら、バルコニー１３の床面１４の水勾配を簡易に形成できる。
【００２７】
(b)バルコニー構成部１２におけるバルコニー１３の床面１４の水勾配に沿う最下端側で、相隣る床根太２２Ａ、２２Ｃの間を樋設置部２３とする。従って、バルコニー構成部１２の床根太２２Ｃに樋設置凹部の如くを切欠形成することなく、簡易に、バルコニー１３の床面１４の水勾配に直交する方向に延在する樋２４をその床面１４の下に簡易に設置できる。
【００２８】
図６〜図８に示すバルコニー付き部屋ユニット１１０が、バルコニー付き部屋ユニット１０と異なる点は、部屋構成部１１の側の床パネル２１とバルコニー構成部１２の側の床パネル２２を当初から別個に組立て、それらを一体にして床パネル２０を構成するものでなく、部屋構成部１１とバルコニー構成部１２の双方に渡る床パネル２０を当初から単一体をなすように組立て製作するものとしたことにある。尚、バルコニー付き部屋ユニット１１０にあっては、部屋構成部１１の側の妻壁パネル３１とバルコニー構成部１２の側の手摺壁パネル３３も当初から単一体をなすように組立て製作した。
【００２９】
従って、バルコニー付き部屋ユニット１１０を構成する床パネル２０は、側根太１２１Ａと端根太１２１Ｂからなる床枠組の中に、側根太１２１Ａと平行をなす複数本の根太１２１Ｃを組込み、それらの床枠組の上にパーティクルボード等の床面材１２１Ｄ、１２１Ｅを貼り付けて構成される。床面材１２１Ｄは部屋構成部１１の側の床面材であり、床面材１２１Ｅはバルコニー構成部１２の側の床面材である。床面材１２１Ｄは、それらの床枠組の上に貼り付けられる。このとき、床面材１２１Ｅはそれらの床枠組の枠内に落とし込まれる。
【００３０】
尚、バルコニー付き部屋ユニット１１０の床パネル２０において、バルコニー構成部１２の側に位置する床面材１２１Ｄの上面は、屋外に面していて雨水処理する必要があるから一定の水勾配を備え、断熱材や防水処理層や仕上材を現地施工等により設けることができる。
【００３１】
そして、バルコニー付き部屋ユニット１１０の床パネル２０において、部屋構成部１１の側に位置する根太１２１Ｃと、バルコニー構成部１２の側に位置する根太１２１Ｃは同一方向であって、バルコニー１３の床面１４の端根太１２２Ｂの長手方向に沿って設けられる水勾配に直交する方向に延在される。
【００３２】
また、バルコニー付き部屋ユニット１１０において、バルコニー構成部１２の側に位置する複数本の根太１２１Ｃの各根太高さＨｉ（不図示）は、バルコニー１３の床面１４の水勾配に沿う方向で、部屋構成部１１から離隔するに従って順に低くされる。これにより、床パネル２０において、バルコニー１３の床面１４の水勾配が形成される。
【００３３】
また、バルコニー付き部屋ユニット１１０において、バルコニー構成部１２におけるバルコニー１３の床面１４の水勾配に沿う最下端側で、相隣る側根太１２１Ａと根太１２１Ｃの間を樋設置部２３とする。この樋設置部２３に樋２４（不図示）を現地施工等により設け、バルコニー１３の床面１４の水勾配に直交する方向に延在される樋２４をバルコニー１３の床面１４に対する下位に埋込設置できる。
【００３４】
従って、バルコニー付き部屋ユニット１１０によれば、前述したバルコニー付き部屋ユニット１０における(a)、(b)の作用効果に加え、以下の作用効果を奏する。
【００３５】
部屋構成部１１の床根太１２１Ｃとバルコニー構成部１２の床根太１２１Ｃが同一方向に配置される。従って、バルコニー付き部屋ユニット１１０におけるように、部屋構成部１１の床パネル２０とバルコニー構成部１２の床パネル２０を、共通枠組の一枚のパネルに共通化しようとするとき、加工組立の簡易を図ることができる。
【００３６】
以上、本発明の実施の形態を図面により記述したが、本発明の具体的な構成はこの実施の形態に限られるものではなく、本発明の要旨を逸脱しない範囲の設計の変更等があっても本発明に含まれる。
【産業上の利用可能性】
【００３７】
本発明によれば、部屋構成部とバルコニー構成部とが一体に接合されて工場生産されるバルコニー付き部屋ユニットにおいて、部屋構成部の床根太とバルコニー構成部の床根太が同一方向であって、バルコニーの床面の水勾配に直交する方向に延在されてなるようにした。従って、バルコニー構成部の床構成を簡易化することができる。
【符号の説明】
【００３８】
１０、１１０  バルコニー付き部屋ユニット
１１  部屋構成部
１２  バルコニー構成部
１３  バルコニー
１４  床面
２０  床パネル
２１Ｃ、２２Ｃ、１２１Ｃ  床根太
２３  樋設置部
【図１】
2011157698.tif 000003
【図２】
2011157698.tif 000004
【図３】
2011157698.tif 000005
【図４】
2011157698.tif 000006
【図５】
2011157698.tif 000007
【図６】
2011157698.tif 000008
【図７】
2011157698.tif 000009
【図８】
2011157698.tif 000010